(57)【要約】      （修正有）【課題】コイルバネの折れ曲がりを防止して、電気部品同士を正常な状態で電気的に接続することができる電気接触子及び電気部品用ソケットとする。【解決手段】電気部品の間に配設され、電気部品同士を電気的に接続する電気接触子２０で、一方の電気部品に接触する第１接触部３０と、他方の電気部品に接触する第２接触部４０と、第１接触部３０及び第２接触部４０を離間する方向に付勢するコイルバネ５０とを有し、コイルバネ５０は、第１接触部３０及び第２接触部４０を離間する方向に付勢する付勢力を有する有効巻き部５４と、当該付勢力を有しない密着巻き部５３とで構成されており、第１接触部３０のコイルバネ５０が接触する箇所と第２接触部４０のコイルバネ５０が接触する箇所の間には、コイルバネ５０の径より大径の大空間部４３を有しており、コイルバネ５０の大空間部４３に存在する箇所に密着巻き部５３を有する電気接触子２０。【選択図】図４
2018200821.tif 000002
【特許請求の範囲】
【請求項１】
２つの電気部品の間に配設され、当該２つの電気部品同士を電気的に接続する電気接触子において、
一方の電気部品に接触する第１接触部と、他方の電気部品に接触する第２接触部と、前記第１接触部及び前記第２接触部を離間する方向に付勢するコイルバネとを有し、
該コイルバネは、前記第１接触部及び前記第２接触部を離間する方向に付勢する付勢力を有する有効巻き部と、当該付勢力を有しない密着巻き部とで構成されており、
前記第１接触部の前記コイルバネが接触する箇所と前記第２接触部の前記コイルバネが接触する箇所の間には、前記コイルバネの径より大径の大空間部を有しており、
前記コイルバネの前記大空間部に存在する箇所に前記密着巻き部を有することを特徴とする電気接触子。
【請求項２】
前記密着巻き部は、前記コイルバネに前記密着巻き部を有していない場合に前記第１接触部と前記第２接触部が前記コイルバネの付勢力に抗して近づく方向に押圧されたときに、前記大空間部内において前記コイルバネが湾曲を開始する箇所に設けられていることを特徴とする請求項１に記載の電気接触子。
【請求項３】
前記第１接触部は、前記コイルバネと略同径で該コイルバネが内部に挿入される挿入部を有しており、
前記第２接触部は、前記挿入部と該挿入部の内部に挿入された前記コイルバネが内部に挿入される筒状部を有しており、
該筒状部における前記挿入部から前記コイルバネが突出する箇所と前記第２接触部の前記コイルバネが接触する箇所の間には、前記コイルバネの径より大径の大空間部を有しており、
前記第１接触部と前記第２接触部とが伸縮されるように構成されていることを特徴とする請求項１又は２に記載の電気接触子。
【請求項４】
前記第１接触部は、前記コイルバネと略同径で該コイルバネが内部に挿入される第１挿入部を有しており、
前記第２接触部は、前記コイルバネと略同径で該コイルバネが内部に挿入される第２挿入部を有しており、
筒状を呈し、一方の端部から前記第１挿入部が内部に挿入され、他方の端部から前記第２挿入部が内部に挿入される筒状部を有しており、
前記コイルバネは、前記筒状部内で一端部が前記第１挿入部に挿入されると共に他端部が前記第２挿入部に挿入されており、
前記筒状部における前記第１挿入部及び前記第２挿入部の双方から前記コイルバネが突出している箇所には、前記コイルバネの径より大径の大空間部を有しており、
前記第１接触部と前記第２接触部とが伸縮されるように構成されていることを特徴とする請求項１又は２に記載の電気接触子。
【請求項５】
一の電気部品上に配置され、他の電気部品が収容される収容部を有するソケット本体と、
該ソケット本体に配設されて前記一の電気部品と前記他の電気部品とに設けられた端子同士に接触する請求項１乃至４の何れか１つに記載の電気接触子とを有することを特徴とする電気部品用ソケット。
【発明の詳細な説明】
【技術分野】
【０００１】
この発明は、半導体装置（以下「ＩＣパッケージ」という）等の電気部品に電気的に接続される電気接触子、及び、この電気接触子が配設された電気部品用ソケットに関するものである。
【背景技術】
【０００２】
従来、この種の電気接触子としては、電気部品用ソケットとしてのＩＣソケットに設けられたコンタクトピンが知られている。このＩＣソケットは、配線基板上に配置されると共に、検査対象であるＩＣパッケージが収容されるようになっており、このＩＣパッケージの端子と、配線基板の電極とが、そのコンタクトピンを介して電気的に接続されて、導通試験等の試験を行うようになっている。
【０００３】
そのようなコンタクトピンには、配線基板とＩＣパッケージとに接触する接触部同士の間に、当該接触部同士を離間させる方向に付勢するコイルバネが配設されているものがある（例えば、特許文献１参照）。
【先行技術文献】
【特許文献】
【０００４】
【特許文献１】特開２００５−１７２５８１号公報
【発明の概要】
【発明が解決しようとする課題】
【０００５】
ここで、前記した特許文献１のようなコイルバネを備えたコンタクトピンを有するＩＣソケットでは、コイルバネの付勢力に抗して、配線基板とＩＣパッケージの双方が近づく方向にコンタクトピンを押圧することで、コンタクトピンを介して所定の接圧を確保した状態で配線基板とＩＣパッケージを電気的に接続するように構成されている。
【０００６】
しかしながら、このようなコンタクトピンにおいては、配線基板とＩＣパッケージによる押圧力でコイルバネが折れ曲がって正常な接続ができなくなる不具合が生じる虞があり、問題となっていた。
【０００７】
そこで、この発明は、コイルバネの折れ曲がりを防止して、電気部品同士（配線基板とＩＣパッケージ）を正常な状態で電気的に接続することができる電気接触子（コンタクトピン）及び電気部品用ソケット（ＩＣソケット）を提供することを課題としている。
【課題を解決するための手段】
【０００８】
かかる課題を達成するために、請求項１に記載の発明は、２つの電気部品の間に配設され、当該２つの電気部品同士を電気的に接続する電気接触子において、一方の電気部品に接触する第１接触部と、他方の電気部品に接触する第２接触部と、前記第１接触部及び前記第２接触部を離間する方向に付勢するコイルバネとを有し、該コイルバネは、前記第１接触部及び前記第２接触部を離間する方向に付勢する付勢力を有する有効巻き部と、当該付勢力を有しない密着巻き部とで構成されており、前記第１接触部の前記コイルバネが接触する箇所と前記第２接触部の前記コイルバネが接触する箇所の間には、前記コイルバネの径より大径の大空間部を有しており、前記コイルバネの前記大空間部に存在する箇所に前記密着巻き部を有する電気接触子としたことを特徴とする。
【０００９】
請求項２に記載の発明は、請求項１に記載の構成に加え、前記密着巻き部は、前記コイルバネに前記密着巻き部を有していない場合に前記第１接触部と前記第２接触部が前記コイルバネの付勢力に抗して近づく方向に押圧されたときに、前記大空間部内において前記コイルバネが湾曲を開始する箇所に設けられている電気接触子としたことを特徴とする。
【００１０】
請求項３に記載の発明は、請求項１又は２に記載の構成に加え、前記第１接触部は、前記コイルバネと略同径で該コイルバネが内部に挿入される挿入部を有しており、前記第２接触部は、前記挿入部と該挿入部の内部に挿入された前記コイルバネが内部に挿入される筒状部を有しており、該筒状部における前記挿入部から前記コイルバネが突出する箇所と前記第２接触部の前記コイルバネが接触する箇所の間には、前記コイルバネの径より大径の大空間部を有しており、前記第１接触部と前記第２接触部とが伸縮されるように構成されている電気接触子としたことを特徴とする。
【００１１】
請求項４に記載の発明は、請求項１又は２に記載の構成に加え、前記第１接触部は、前記コイルバネと略同径で該コイルバネが内部に挿入される第１挿入部を有しており、前記第２接触部は、前記コイルバネと略同径で該コイルバネが内部に挿入される第２挿入部を有しており、筒状を呈し、一方の端部から前記第１挿入部が内部に挿入され、他方の端部から前記第２挿入部が内部に挿入される筒状部を有しており、前記コイルバネは、前記筒状部内で一端部が前記第１挿入部に挿入されると共に他端部が前記第２挿入部に挿入されており、前記筒状部における前記第１挿入部及び前記第２挿入部の双方から前記コイルバネが突出している箇所には、前記コイルバネの径より大径の大空間部を有しており、前記第１接触部と前記第２接触部とが伸縮されるように構成されている電気接触子としたことを特徴とする。
【００１２】
請求項５に記載の発明は、一の電気部品上に配置され、他の電気部品が収容される収容部を有するソケット本体と、該ソケット本体に配設されて前記一の電気部品と前記他の電気部品とに設けられた端子同士に接触する請求項１乃至４の何れか１つに記載の電気接触子とを有する電気部品用ソケットとしたことを特徴とする。
【発明の効果】
【００１３】
請求項１に記載の発明によれば、第１接触部のコイルバネが接触する箇所と第２接触部のコイルバネが接触する箇所の間にコイルバネの径より大径の大空間部を有しており、コイルバネのここに存在する箇所に密着巻き部が形成されていることで、適切な位置に密着巻き部が設けられてコイルバネの折れ曲がりを防止し、電気部品同士を正常な状態で電気的に接続することができる。
【００１４】
請求項２に記載の発明によれば、大空間部におけるコイルバネが湾曲を開始する箇所に密着巻き部が設けられていることで、より適切な位置に密着巻き部が設けられてコイルバネの折れ曲がりを確実に防止し、電気部品同士をより正常な状態で電気的に接続することができる。また、密着巻き部を、コイルバネが湾曲を開始する箇所に設けておけば、コイルバネの折れ曲がりを防げるため、他の箇所に余分に密着巻き部を設ける必要がなく、コイルバネの長さに対して有効巻き部の割合を高めることができ、コイルバネの伸縮を効率良く行うことができる。
【００１５】
請求項３に記載の発明によれば、挿入部を有する第１接触部と、挿入部が内部に挿入される筒状部を有する第２接触部と、これらに挿入されるコイルバネとで構成される電気接触子において、適切な位置に密着巻き部が設けられてコイルバネの折れ曲がりを防止し、電気部品同士を正常な状態で電気的に接続することができる。
【００１６】
請求項４に記載の発明によれば、第１挿入部を有する第１接触部と、第２挿入部を有する第２接触部と、第１挿入部と第２挿入部とが挿入される筒状部と、これらに挿入されるコイルバネとで構成される電気接触子において、適切な位置に密着巻き部が設けられてコイルバネの折れ曲がりを防止し、電気部品同士を正常な状態で電気的に接続することができる。
【００１７】
請求項５に記載の発明によれば、請求項１乃至４の何れか一つに記載の電気接触子を有しているため、適切な位置に密着巻き部が設けられてコイルバネの折れ曲がりを防止し、電気部品同士を正常な状態で電気的に接続できる電気部品用ソケットとすることができる。
【図面の簡単な説明】
【００１８】
【図１】この発明の実施の形態１に係るＩＣソケットの平面図である。
【図２】同実施の形態１に係るＩＣソケットにおける図１のＡ−Ａ断面図である。
【図３】同実施の形態１に係るＩＣソケットに配設されたコンタクトピンの状態を示す図であって（ａ）ＩＣソケットの配設前の状態、（ｂ）（ａ）の状態からＩＣソケットを配線基板に配設した状態、（ｃ）（ｂ）の状態にＩＣパッケージを収容した状態を示す図である。
【図４】同実施の形態１に係るコンタクトピンの押圧前の状態を示す拡大断面図である。
【図５】同実施の形態１に係るコンタクトピンの押圧後の状態を示す拡大断面図である。
【図６】同実施の形態１に係るコンタクトピンの押圧前の状態を示す透過写真である。
【図７】同実施の形態１に係るコンタクトピンの押圧後の状態を示す透過写真である。
【図８】大空間部に密着巻き部を有していないコンタクトピンの押圧前の状態を示す比較例の透過写真である。
【図９】大空間部に密着巻き部を有していないコンタクトピンの押圧後の状態を示す比較例の透過写真である。
【図１０】同実施の形態１で使用するＩＣパッケージを示す（ａ）正面図及び（ｂ）裏面図である。
【図１１】この発明の実施の形態２に係るコンタクトピンの押圧前の状態を示す拡大断面図である。
【図１２】同実施の形態２に係るコンタクトピンの押圧後の状態を示す拡大断面図である。
【発明を実施するための形態】
【００１９】
以下、この発明の実施の形態について説明する。
［発明の実施の形態１］
図１〜図１０には、この発明の実施の形態１を示す。
【００２０】
この実施の形態の「電気部品用ソケット」としてのＩＣソケット１０は、図２に示すように、「電気部品」としての配線基板１上に固定され、上部に「電気部品」としてのＩＣパッケージ２が収容されて、配線基板１の「端子」としての電極（図示省略）とＩＣパッケージ２の「端子」としての半田ボール４とを電気的に接続させるように構成されており、例えばＩＣパッケージ２に対するバーンイン試験及び信頼性試験等の導通試験の試験装置などに用いられるものである。
【００２１】
まず、この実施の形態のＩＣパッケージ２について、図１０を用いて説明する。この実施の形態のＩＣパッケージ２は、図１０に示すように、平面視略方形状のパッケージ本体３を有しており、このパッケージ本体３の下面５に複数の球状の半田ボール４がマトリックス状に設けられている。
【００２２】
次に、この実施の形態のＩＣソケット１０について、図１〜図９を用いて説明する。この実施の形態のＩＣソケット１０は、図１及び図２に示すように、板状のソケット本体１１を有しており、このソケット本体１１の上面の略中央部に、ＩＣパッケージ２を収容する略方形状の収容部１２を有している。
【００２３】
また、このソケット本体１１には、図１及び図２に示すように、縦方向に貫通して配設された複数の「電気接触子」としてのコンタクトピン２０を備えており、これら複数のコンタクトピン２０がソケット本体１１の収容部１２にマトリックス状に配設されている。また、収容部１２の周囲の角部には、ＩＣパッケージ２を収容部１２にガイドするために突起状に形成されたガイド部１３が設けられている。
【００２４】
この実施の形態では、ＩＣパッケージ２の半田ボール４の配置ピッチと、半田ボール４に電気的に接続される配線基板１の電極の配置ピッチとは同一となっており、コンタクトピン２０の配置ピッチはこれらの配置ピッチと同一となっている。
【００２５】
各コンタクトピン２０は、図３〜図５に示すように、長手方向の軸線Ｌに沿って、上端にＩＣパッケージ２の半田ボール４と電気的に接触する略王冠形状の第１上端部３１を有する「第１接触部」としての第１プランジャ３０と、下端に配線基板１の電極と電気的に接触する突起形状の第２下端部４１を有する「第２接触部」としての第２プランジャ４０と、この第１プランジャ３０と第２プランジャ４０との間に連続し、第１プランジャ３０と第２プランジャ４０とを軸線Ｌに沿って互いに離間する方向に付勢するコイルバネ５０とを有している。
【００２６】
また、第１プランジャ３０には、図４及び図５に示すように、コイルバネ５０の一端部５１側を挿入させる中空形状の挿入部３３が形成されている。この挿入部３３は、第１上端部３１と逆側の第１下端部３２に挿入口３３ａを有しており、この挿入口３３ａからコイルバネ５０の一端部５１側を第１プランジャ３０の内部に挿入させて保持するように構成されている。この挿入部３３は、その内径がコイルバネ５０の径と略同一に形成されており、コイルバネ５０が摺動して挿入されるようになっている。
【００２７】
また、図４及び図５に示すように、第１下端部３２は挿入部３３の他の箇所の外径より大きく形成されている。また、挿入部３３の第１上端部３１側の最奥部は、略円錐形状のコイルバネ係止部３４を有しており、この形状によりコイルバネ５０が係止しやすい状態に構成されている。
【００２８】
また、第２プランジャ４０には、図４及び図５に示すように、「筒状部」としての大径の大径筒部４３と小径の小径部４４の２つの大きさの中空部４３，４４が軸線Ｌに沿って連続するように設けられている。このうち、大径筒部４３は第２下端部４１と逆側の第２上端部４２に挿入口４３ａを有しており、この挿入口４３ａからコイルバネ５０及び第１プランジャ３０の挿入部３３を第２プランジャ４０の内部に挿入させて保持するように構成されている。
【００２９】
この大径筒部４３は挿入部３３が摺動して挿入できる大きさ及び形状に形成されている。そのため、コイルバネ５０が挿入された状態で、大径筒部４３の内径Ｔに対してコイルバネ５０の外径Ｓが所定量小さい径となっている。
【００３０】
また、図４及び図５に示すように、第２上端部４２は、他の大径筒部４３より小径となるように加工されており、第１プランジャ３０の大径となっている第１下端部３２がこの位置で係止されて、第１プランジャ３０が第２プランジャ４０から外れないように構成されている。
【００３１】
また、大径筒部４３の第２下端部４１側には、小径部４４が形成されている。この小径部４４は、後述するコイルバネ５０と略同径の大きさに形成されており、所定量のコイルバネ５０の他端部５２側を挿入するように構成されている。また、小径部４４の第２下端部４１側の最奥部は、略円錐形状のコイルバネ係止部４５を有しており、この形状によりコイルバネ５０が係止しやすい状態に構成されている。
【００３２】
また、図４及び図５に示すように、コイルバネ５０は、第１プランジャ３０及び第２プランジャ４０を離間する方向に付勢する付勢力を有する有効巻き部５４と、当該付勢力を有しない２つの密着巻き部５３とで構成されている。
【００３３】
また、コイルバネ５０は、図４に示すように、第１プランジャ３０と第２プランジャ４０とを軸線Ｌに沿って互いに離間する方向に付勢するように、第１プランジャ３０の挿入部３３に一端部５１側が挿入されると共に、第２プランジャ４０の大径筒部４３を貫通して他端部５２側が小径部４４に挿入されて保持されている。
【００３４】
また、図３（ａ）に示すように、コンタクトピン２０に対して配線基板１からもＩＣパッケージ２からも押圧力が掛かっていない状態において、第１プランジャ３０のコイルバネ５０が接触する箇所と第２プランジャ４０のコイルバネ５０が接触する箇所の間、すなわち第１プランジャ３０の挿入部３３の挿入口３３ａと第２プランジャ４０の小径部４４の入り口まで間における大径筒部４３の内壁部４３ｂで囲まれた空間に、大径筒部４３の内壁部４３ｂとコイルバネ５０の間に所定の空間を有する大空間部４９が形成されるように構成されている。そして、この大空間部４９に密着巻き部５３の１つが位置するように形成されている。
【００３５】
特に、この実施の形態では、密着巻き部５３が、挿入部３３の内部の他、コイルバネ５０に当該密着巻き部５３を有していないと仮定した場合に第１プランジャ３０と第２プランジャ４０がコイルバネ５０の付勢力に抗して近づく方向に押圧されたときに、大空間部４３内においてコイルバネ５０が湾曲を開始する箇所Ｐに設けられている。具体的には、付勢されていないコイルバネ５０が挿入部３３の挿入口３３ａから突出した箇所から所定量離間した位置Ｐに、２巻きの密着巻き部５３が形成されている。
【００３６】
なお、この密着巻き部５３は、図４に示すように２つ設けられていても良いし、付勢力を保持できる程度に１又は３つ以上設けられていても良い。また、大空間部４９に位置する密着巻き部５３の数も、図４に示すような１つに限らず、複数設けられていても良い。
【００３７】
次に、このようなコイルバネ５０が配設されたコンタクトピン２０を備えたＩＣソケット１０の作用について説明する。
【００３８】
このＩＣソケット１０を使用する際には、図１及び図２に示すように、複数のコンタクトピン２０をそれぞれソケット本体１１に装着し、図３（ａ）及び図４に示すように、第１プランジャ３０の第１上端部３１を上方に突出させると共に、第２プランジャ４０の第２下端部４１を下方に突出させた状態で配置する。そして、このＩＣソケット１０を配線基板１に位置決め固定し、図３（ｂ）に示すように、第２プランジャ２０の第２下端部４１を配線基板１の電極に接触させる。このとき、コンタクトピン２０全体が上方にスライド移動する。
【００３９】
その後、図３（ｃ）に示すように、ＩＣパッケージ２を収容部１２に収容して、半田ボール４を第１上端部３１に接触させる。その状態で押圧治具（図示省略）等を下降させてＩＣパッケージ２を下方に押圧すると、第１プランジャ３０の第１上端部３１が半田ボール４により押圧され、図３（ｃ）及び図５に示すように、第１プランジャ３０が下方に押し込まれる。
【００４０】
そして、このように第１プランジャ３０及び第２プランジャ４０によってコイルバネ５０を圧縮することで、コイルバネ５０の有効巻き部５４が収縮し、当該コイルバネ５０の有効巻き部５４の付勢力で第１プランジャ３０の第１上端部３１と第２プランジャ４０の第２下端部４１とを互いに離間する方向に付勢する。これにより、配線基板１の電極とＩＣパッケージ２の半田ボール４に適切な接圧を持ってコンタクトピン２０を接触させて双方を電気的に接続させた状態で、ＩＣパッケージ２のバーンイン試験等の導通試験を実施する。
【００４１】
このとき、コイルバネ５０の密着巻き部５３が、コイルバネ５０に当該密着巻き部５３を有していないと仮定した場合に第１プランジャ３０と第２プランジャ４０がコイルバネ５０の付勢力に抗して近づく方向に押圧されたときに、大空間部４９内においてコイルバネ５０が湾曲を開始する箇所Ｐに設けられている（具体的には、付勢されていないコイルバネ５０が挿入部３３の挿入口３３ａから突出した箇所から所定量離間した位置Ｐに２巻きの密着巻き部５３を有している）。
【００４２】
これにより、コイルバネ５０が圧縮して折れ曲がろうとする力が働くところを密着巻き部５３でコイルバネ５０の動きを小さくすることができ、その結果、コイルバネ５０の折れ曲がりを防止して、配線基板１とＩＣパッケージ２を正常な状態で電気的に接続することができる。
【００４３】
例えば、図８及び図９に示すように、密着巻き部５３を有しない従来のコンタクトピン２２０では、図８に示す押圧力が掛かっていない状態に対して、上方と下方の双方から押圧してコイルバネ２５０を圧縮させると、図９に示すように、大空間部４９の特定の位置（コイルバネ２５０が湾曲を開始する箇所）Ｐを起点としてコイルバネ２５０が折れ曲がり、大空間部４９の内壁部４３ｂに当接するまで曲がってしまう。
【００４４】
これに対し、図６及び図７に示すこの実施の形態のコンタクトピン２０では、図６に示す圧力が掛かっていない状態に対して、上方と下方の双方から同様に押圧してコイルバネ５０を圧縮させると、図７に示すように、大空間部４９の特定の位置Ｐに密着巻き部５３を有しているため、曲がりが軽減されて大空間部４９の内壁部４３ｂに当接するまでは曲がらないようになっている。
【００４５】
このように、この実施の形態のコンタクトピン２０によれば、第１プランジャ３０のコイルバネ５０が接触する箇所と第２プランジャ４０のコイルバネ５０が接触する箇所の間にコイルバネ５０の径Ｓより大径Ｔの大空間部４９を有しており、コイルバネ５０のここに存在する箇所に密着巻き部５３が形成されていることで、適切な位置に密着巻き部５３が設けられてコイルバネの折れ曲がりを防止し、配線基板１とＩＣパッケージ２を正常な状態で電気的に接続することができる。
【００４６】
また、この実施の形態のコンタクトピン２０によれば、大空間部４９におけるコイルバネ５０が湾曲を開始する箇所Ｐに密着巻き部５３が設けられていることで、より適切な位置に密着巻き部５３が設けられてコイルバネ５０の折れ曲がりを確実に防止し、配線基板１とＩＣパッケージ２をより正常な状態で電気的に接続することができる。また、密着巻き部５３を、コイルバネ５０が湾曲を開始する箇所Ｐに設けておけば、コイルバネ５０の折れ曲がりを防げるため、他の箇所に余分に密着巻き部５３を設ける必要がなく、コイルバネ５０の長さに対して有効巻き部５４の割合を高めることができ、コイルバネ５０の伸縮を効率良く行うことができる。
【００４７】
また、この実施の形態のコンタクトピン２０によれば、挿入部３３を有する第１プランジャ３０と、挿入部３３が内部に挿入される大径筒部４３を有する第２プランジャ４０と、これらに挿入されるコイルバネ５０とで構成されるコンタクトピン２０において、適切な位置Ｐに密着巻き部５３が設けられてコイルバネ５０の折れ曲がりを防止し、配線基板１とＩＣパッケージ２を正常な状態で電気的に接続することができる。
【００４８】
また、この実施の形態のＩＣソケット１０によれば、前記したようなコンタクトピン２０を有しているため、適切な位置Ｐに密着巻き部５３が設けられてコイルバネ５０の折れ曲がりを防止し、配線基板１とＩＣパッケージ２を正常な状態で電気的に接続できるＩＣソケット１０とすることができる。
［発明の実施の形態２］
図１１及び図１２には、この発明の実施の形態２を示す。なお、この発明の実施の形態は、以下に説明する事項以外については前記した実施の形態１と同様であるので、前記した実施の形態１と異なる事項以外は同じ符号を付して説明を省略する。
【００４９】
この実施の形態は、前記した実施の形態１におけるコンタクトピン２０を、図１１及び図１２に示すような、構成の異なるコンタクトピン１２０に変更したものである。以下、この実施の形態におけるコンタクトピン１２０について説明する。
【００５０】
この実施の形態のコンタクトピン１２０は、図１１及び図１２に示すように、長手方向の軸線Ｌに沿って、上端にＩＣパッケージ２の半田ボール４と電気的に接触する略王冠形状の第１上端部１３１を有する「第１接触部」としての第１プランジャ１３０と、下端に配線基板１の電極と電気的に接触する突起形状の第２下端部１４１を有する「第２接触部」としての第２プランジャ１４０と、第１プランジャ１３０を一方向（上方向）から挿入すると共に第２プランジャ１４０を反対方向（下方向）から挿入する筒状部材１６０と、この第１プランジャ１３０と第２プランジャ１４０との間に連続し、第１プランジャ１３０と第２プランジャ１４０とを軸線Ｌに沿って互いに離間する方向に付勢するコイルバネ１５０とを有している。
【００５１】
また、この実施の形態の第１プランジャ１３０は、第１上端部１３１と第１挿入部１３３の２つの部材で構成されている。このうち、第１上端部１３１は、ＩＣパッケージ２の半田ボール４に当接する略王冠形状の当接部１３１ａと鍔状の拡径部１３１ｂと第１挿入部１３３に挿入される挿通部１３１ｃとを有している。この挿通部１３１ｃは、その一部に径の小さい凹部１３１ｄを有している。
【００５２】
また、第１挿入部１３３は、筒状の部材であり、コイルバネ１５０の一端部１５１側を挿入させると共に第１上端部１３１を挿入させるように形成されている。この第１挿入部１３３は、第１下端部１３２に第１挿入口１３３ａ、逆側の第１上端部１３１側に第２挿入口１３３ｂを有している。
【００５３】
そして、第２挿入口１３３ｂに第１上端部１３１の挿通部１３１ｃが挿通されて、拡径部１３１ｂが第１挿入部１３３の第２挿入口１３３ｂの縁部１３３ｄに当接した状態で、当該凹部１３１ｄの位置で第１挿入部１３３をかしめて凹部１３３ｃとすることで、第１挿入部１３３に第１上端部１３１を固定するように構成されている。
【００５４】
また、第１挿入口１３３ａからコイルバネ１５０の一端部１５１側を第１挿入部１３３の中空部１３３ｅに挿入させて保持するように構成されている。この中空部１３３ｅは、その内径がコイルバネ１５０の径と略同一に形成されており、コイルバネ１５０が摺動して挿入されるようになっている。
【００５５】
また、第１下端部１３２側は第１挿入部１３３の他の箇所の外径より大きく形成されている。また、第１挿入部１３３の第１上端部１３１側の最奥部（第１上端部１３１の挿通部１３１ｃの下端部）は、略円錐形状のコイルバネ係止部１３４を有しており、この形状によりコイルバネ１５０が係止しやすい状態に構成されている。
【００５６】
また、第２プランジャ１４０には、コイルバネ１５０の他端部１５２側を挿入させる中空形状の第２挿入部１４３が形成されている。この第２挿入部１４３は、第２下端部１４１とは逆側の第２上端部１４２に挿入口１４３ａを有しており、この挿入口１４３ａからコイルバネ１５０の他端部１５２側を第２プランジャ１４０の内部に挿入させて保持するように構成されている。この第２挿入部１４３は、その内径がコイルバネ１５０の径と略同一に形成されており、コイルバネ１５０が摺動して挿入されるようになっている。
【００５７】
また、第２上端部１４２側は第２挿入部１４３の他の箇所の外径より大きく形成されている。また、第２挿入部１４３の第２下端部１４１側の最奥部は、略円錐形状のコイルバネ係止部１４５を有しており、この形状によりコイルバネ１５０が係止しやすい状態に構成されている。
【００５８】
また、筒状部材１６０は、その内部に上端側挿入口１６３ａと下端側挿入口１６３ｂを貫通する大径の「筒状部」としての大径筒部１６３が設けられている。この上端側挿入口１６３ａからコイルバネ１５０及び第１プランジャ１３０の第１挿入部１３３を大径筒部１６３に挿入させ、下端側挿入口１６３ｂから第２プランジャ１４０の第２挿入部１４３を大径筒部１６３に挿入させて、コイルバネ１５０が第１挿入部１３３のコイルバネ係止部１３４と第２挿入部１４３のコイルバネ係止部１４５に係止された状態となることで、これらの部材が保持されるように構成されている。
【００５９】
また、上端側挿入口１６３ａと下端側挿入口１６３ｂは、他の筒状部材１６０より小径となるように加工されており、第１プランジャ１３０の大径となっている第１下端部１３２が上端側挿入口１６３ａで係止され、第２プランジャ１４０の大径となっている第２上端部１４２が下端側挿入口１６３ｂで係止されて、第１プランジャ３０と第２プランジャ４０が筒状部材１６０から外れないように構成されている。
【００６０】
この大径筒部１６３は第１挿入部１３３及び第２挿入部１４３が摺動して挿入できる大きさ及び形状に形成されている。そのため、コイルバネ１５０が挿入された状態で、大径筒部１６３の内径Ｗに対してコイルバネ５０の外径Ｖが所定量小さい径となっている。
【００６１】
また、コイルバネ１５０は、図１１に示すように、第１プランジャ１３０と第２プランジャ１４０とを軸線Ｌに沿って互いに離間する方向に付勢する付勢力を有する有効巻き部１５４と、当該付勢力を有しない２つの密着巻き部１５３とで構成されている。
【００６２】
また、コイルバネ１５０は、図１１に示すように、第１プランジャ１３０と第２プランジャ１４０とを軸線Ｌに沿って互いに離間する方向に付勢するように、第１プランジャ１３０の第１挿入部１３３に一端部１５１側が挿入されると共に、第２プランジャ１４０の第２挿入部１４３に他端部１５２側が挿入されて保持されている。
【００６３】
また、図１１に示すように、コンタクトピン１２０に対して配線基板１からもＩＣパッケージ２からも押圧力が掛かっていない状態において、第１プランジャ１３０のコイルバネ１５０が接触する箇所と第２プランジャ１４０のコイルバネ１５０が接触する箇所の間、すなわち第１プランジャ１３０の第１挿入部１３３の挿入口１３３ａと第２プランジャ１４０の第２挿入部１４３の挿入口１４３ａまでの間における大径筒部１６３の内壁部１６４で囲まれた空間に、大径筒部１６３の内壁部１６４とコイルバネ１５０の間に所定の空間を有する大空間部１６９が形成されるように構成されている。そして、この大空間部１６９に密着巻き部１５３の両方が位置するように形成されている。
【００６４】
特に、この実施の形態では、密着巻き部１５３が、コイルバネ１５０に当該密着巻き部１５３を有していないと仮定した場合に第１プランジャ１３０と第２プランジャ１４０がコイルバネ１５０の付勢力に抗して近づく方向に押圧されたときに、大空間部１６９内においてコイルバネ１５０が湾曲を開始する箇所Ｑ，Ｒに設けられている。具体的には、付勢されていないコイルバネ１５０が第１挿入部１３３の第１挿入口１３３ａと第２挿入部１４３の第２挿入口１４３ａからそれぞれ突出した箇所から所定量離間した位置Ｑ，Ｒに２巻きの密着巻き部１５３を有している。
【００６５】
なお、この密着巻き部１５３は、図１１に示すように２つ設けられていても良いし、付勢力を保持できる程度に１又は３つ以上設けられていても良い。また、大空間部１６９に位置する密着巻き部１５３の数も、図１１に示すような２つに限らず、１又は３つ以上設けられていても良い。
【００６６】
次に、このようなコイルバネ１５０が配設されたコンタクトピン１２０を備えたＩＣソケット１０の作用について説明する。なお、前記した実施の形態１と同様の記載は、説明を省略する。
【００６７】
このＩＣソケット１０を使用する際には、前記した実施の形態１で図１及び図２に示すのと同様に、複数のコンタクトピン１２０をそれぞれソケット本体１１に装着し、図１１に示すように、筒状部材１６０の上端側挿入口１６３ａから第１プランジャ１３０の第１上端部１３１を上方に突出させると共に、筒状部材１６０の下端側挿入口１６３ｂから第２プランジャ１４０の第２下端部１４１を下方に突出させた状態で配置する。
【００６８】
そして、このようなコンタクトピン１２０を備えたＩＣソケット１０を配線基板１に位置決め固定し、第２プランジャ１４０の第２下端部１４１を配線基板１の電極に接触させると共に、ＩＣパッケージ２を収容部１２に収容して、半田ボール４を第１上端部１３１に接触させる。その状態で押圧治具（図示省略）等を下降させてＩＣパッケージ２を下方に押圧する。
【００６９】
すると、第１プランジャ１３０の第１上端部１３１が半田ボール４により押圧され、第２プランジャ１４０の第２下端部１４１が配線基板１の端子により押圧され、図１２に示すように、第１プランジャ１３０が下方に押し込まれると共に第２プランジャ１４０が上方に押し込まれる。
【００７０】
そして、このように第１プランジャ１３０及び第２プランジャ１４０によってコイルバネ１５０を圧縮することで、コイルバネ１５０の有効巻き部１５４が収縮し、当該コイルバネ１５０の有効巻き部１５４の付勢力で第１プランジャ１３０の第１上端部１３１と第２プランジャ１４０の第２下端部１４１とを互いに離間する方向に付勢する。これにより、配線基板１の電極とＩＣパッケージ２の半田ボール４に適切な接圧を持ってコンタクトピン１２０を接触させて双方を電気的に接続させた状態で、ＩＣパッケージ２のバーンイン試験等の導通試験を実施する。
【００７１】
このとき、コイルバネ１５０の密着巻き部１５３が、コイルバネ１５０に当該密着巻き部１５３を有していないと仮定した場合に第１プランジャ１３０と第２プランジャ１４０がコイルバネ１５０の付勢力に抗して近づく方向に押圧されたときに、大空間部１６９内においてコイルバネ１５０が湾曲を開始する箇所Ｑ，Ｒに設けられている（具体的には、付勢されていないコイルバネ１５０が第１挿入部１３３の第１挿入口１３３ａから突出した箇所から所定量離間した位置Ｑに２巻きの密着巻き部１５３を有し、付勢されていないコイルバネ１５０が第２挿入部１４３の第２挿入口１４３ａから突出した箇所から所定量離間した位置Ｒにも２巻きの密着巻き部１５３を有している）。
【００７２】
これにより、コイルバネ１５０が圧縮して折れ曲がろうとする力が働くところを密着巻き部１５３でコイルバネ１５０の動きを小さくすることができ、その結果、コイルバネ１５０の折れ曲がりを防止して、配線基板１とＩＣパッケージ２を正常な状態で電気的に接続することができる。
【００７３】
このように、この実施の形態のコンタクトピン１２０によれば、第１プランジャ１３０のコイルバネ１５０が接触する箇所と第２プランジャ１４０のコイルバネ１５０が接触する箇所の間にコイルバネ１５０の径Ｖより大径Ｗの大空間部１６９を有しており、コイルバネ１５０のここに存在する箇所に密着巻き部１５３が形成されていることで、適切な位置Ｑ，Ｒに密着巻き部１５３が設けられてコイルバネ１５０の折れ曲がりを防止し、配線基板１とＩＣパッケージ２を正常な状態で電気的に接続することができる。
【００７４】
また、この実施の形態のコンタクトピン１２０によれば、大空間部１６３におけるコイルバネ１５０が湾曲を開始する箇所Ｑ，Ｒに密着巻き部１５３が設けられていることで、より適切な位置に密着巻き部１５３が設けられてコイルバネ１５０の折れ曲がりを確実に防止し、配線基板１とＩＣパッケージ２をより正常な状態で電気的に接続することができる。また、密着巻き部１５３を、コイルバネ１５０が湾曲を開始する箇所Ｑ，Ｒに設けておけば、コイルバネ１５０の折れ曲がりを防げるため、他の箇所に余分に密着巻き部１５３を設ける必要がなく、コイルバネ１５０の長さに対して有効巻き部１５４の割合を高めることができ、コイルバネ１５０の伸縮を効率良く行うことができる。
【００７５】
また、この実施の形態のコンタクトピン１２０によれば、第１挿入部１３３を有する第１プランジャ１３０と、第２挿入部１４３を有する第２プランジャ１４０と、第１挿入部１３３と第２挿入部１４３とが挿入される大径筒部１６３と、これらに挿入されるコイルバネ１５０とで構成されるコンタクトピン１２０において、適切な位置Ｑ，Ｒに密着巻き部１５３が設けられてコイルバネ１５０の折れ曲がりを防止し、配線基板１とＩＣパッケージ２を正常な状態で電気的に接続することができる。
【００７６】
また、この実施の形態のＩＣソケット１０によれば、前記したようなコンタクトピン１２０を有しているため、適切な位置Ｑ，Ｒに密着巻き部１５３が設けられてコイルバネ１５０の折れ曲がりを防止し、配線基板１とＩＣパッケージ２を正常な状態で電気的に接続できるＩＣソケット１０とすることができる。
【００７７】
なお、本発明の「電気接触子」は、前記した実施の形態１，２のような構造のコンタクトピンに限るものではなく、他の構造のものにも適用できる。また、前記した実施の形態１，２では、本発明の「電気部品用ソケット」をカバー等がなく上面が開放されたタイプのＩＣソケットに適用したが、これに限るものではなく、カバー等を有するＩＣソケットや、ＩＣソケット以外の他の装置にも適用できる。
【符号の説明】
【００７８】
1  配線基板（電気部品）
2  ＩＣパッケージ（電気部品）
4  半田ボール（端子）
10  ＩＣソケット（電気部品用ソケット）
11  ソケット本体
20,120  コンタクトピン（電気接触子）
30,130  第１プランジャ（第１接触部）
33  挿入部
40,140  第２プランジャ（第２接触部）
43,163  大径筒部（筒状部）
49,169  大空間部
50,150  コイルバネ
51，151  一端部
52，152  他端部
53,153  密着巻き部
54,154  有効巻き部
133  第１挿入部
143  第２挿入部
P,Q,R  湾曲を開始する箇所
【図１】
2018200821.tif 000003
【図２】
2018200821.tif 000004
【図３】
2018200821.tif 000005
【図４】
2018200821.tif 000006
【図５】
2018200821.tif 000007
【図６】
2018200821.tif 000008
【図７】
2018200821.tif 000009
【図８】
2018200821.tif 000010
【図９】
2018200821.tif 000011
【図１０】
2018200821.tif 000012
【図１１】
2018200821.tif 000013
【図１２】
2018200821.tif 000014